(57)【要約】  【課題】撮像感度に対する使用者の要望に広く応えるように撮像感度を制御する電子カメラを提供する。  【解決手段】マイクロコンピュータ１０１は、露出モードがプログラムモード、シャッター優先オートモード、絞り優先オートモード、およびマニュアルモードのいずれかに設定される場合、［Ａ］感度自動設定モードを常に無効（OFF）にし、デフォルト設定として［Ｂ］感度自動制御モードを無効（OFF）にする。露出モードが人物撮影モード、風景撮影モード、およびスポーツ撮影モードのいずれかに設定される場合は、デフォルト設定として［Ａ］感度自動設定モードを有効（ON）にし、［Ａ］感度自動設定モードと［Ｂ］感度自動制御モードとがともに有効（ON）にされることを禁止する。  【選択図】図２
2006303760.tif 000002
【特許請求の範囲】
【請求項１】
被写体像を撮像し、撮像信号を出力する撮像手段と、
被写体輝度を検出する輝度検出手段と、
前記輝度検出手段で検出された被写体輝度に応じて前記撮像手段の感度を決定する第１の撮像感度決定手段と、
シャッタースピードおよび絞り値が制御限界に達した場合に前記撮像手段に設定されている感度を前記被写体輝度に応じて変更する第２の撮像感度決定手段と、
前記第１の撮像感度決定手段および前記第２の撮像感度決定手段の有効／無効を制御する制御手段とを備えることを特徴とする電子カメラ。
【請求項２】
請求項１に記載の電子カメラにおいて、
前記制御手段は、前記第１の撮像感度決定手段が無効にされている場合、前記第２の撮像感度決定手段を有効もしくは無効にすることを特徴とする電子カメラ。
【請求項３】
請求項２に記載の電子カメラにおいて、
前記制御手段は、前記第１の撮像感度決定手段を有効にする場合、既に有効にされている前記第２の撮像感度決定手段を無効にすることを特徴とする電子カメラ。
【請求項４】
請求項２に記載の電子カメラにおいて、
前記制御手段は、前記第２の撮像感度決定手段が有効にされている場合、前記第１の撮像感度決定手段を無効のままにすることを特徴とする電子カメラ。
【請求項５】
請求項１に記載の電子カメラにおいて、
前記制御手段は、前記第１の撮像感度決定手段の有効／無効にかかわらず、前記第２の撮像感度決定手段を有効もしくは無効にすることを特徴とする電子カメラ。
【請求項６】
請求項１に記載の電子カメラにおいて、
前記制御手段は、前記第１の撮像感度決定手段が有効にされている場合、前記第２の撮像感度決定手段を無効にすることを特徴とする電子カメラ。
【請求項７】
被写体像を撮像し、撮像信号を出力する撮像手段と、
被写体輝度を検出する輝度検出手段と、
前記輝度検出手段で検出された被写体輝度に応じて前記撮像手段の感度を決定する撮像感度決定手段と、
露出モードに応じて、前記撮像感度決定手段の有効／無効を制御する制御手段とを備えることを特徴とする電子カメラ。
【発明の詳細な説明】
【技術分野】
【０００１】
本発明は、撮影画像を電子データとして記録する電子カメラに関する。
【背景技術】
【０００２】
シャッタースピードおよび絞り値に加えて、撮像信号に対するゲイン（撮像感度と呼ぶことにする）を露出制御パラメータとして用いる電子カメラが知られている（特許文献１、特許文献２参照）。特許文献１には、カメラが被写体輝度に応じて撮像感度を決定する技術が記載されている。特許文献２には、使用者がカメラに撮像感度を設定し、シャッタースピードおよび絞り値が制御限界に達した場合にカメラが設定されている撮像感度を変更する技術が記載されている。
【０００３】
【特許文献１】特許第３２４４７２７号公報
【特許文献２】特開２００３−１８９１７５号公報
【発明の開示】
【発明が解決しようとする課題】
【０００４】
特許文献１の技術では、設定した撮像感度をなるべく自動変更されたくないという使用者の要望に応えられない。また、特許文献２の技術では、撮像感度の設定をカメラまかせにしたいという使用者の要望に応えられない。
【課題を解決するための手段】
【０００５】
請求項１に記載の発明による電子カメラでは、被写体像を撮像し、撮像信号を出力する撮像手段と、被写体輝度を検出する輝度検出手段と、輝度検出手段で検出された被写体輝度に応じて撮像手段の感度を決定する第１の撮像感度決定手段と、シャッタースピードおよび絞り値が制御限界に達した場合に撮像手段に設定されている感度を被写体輝度に応じて変更する第２の撮像感度決定手段と、第１の撮像感度決定手段および第２の撮像感度決定手段の有効／無効を制御する制御手段とを備えることを特徴とする。
請求項１に記載の電子カメラにおいて、第１の撮像感度決定手段が無効にされている場合、第２の撮像感度決定手段を有効もしくは無効にするように制御手段を構成してもよい。
請求項２に記載の電子カメラにおいて、第１の撮像感度決定手段を有効にする場合、既に有効にされている第２の撮像感度決定手段を無効にするように制御手段を構成してもよい。
請求項２に記載の電子カメラにおいて、第２の撮像感度決定手段が有効にされている場合、第１の撮像感度決定手段を無効のままにするように制御手段を構成してもよい。
請求項１に記載の電子カメラにおいて、第１の撮像感度決定手段の有効／無効にかかわらず、第２の撮像感度決定手段を有効もしくは無効にするように制御手段を構成してもよい。
請求項１に記載の電子カメラにおいて、第１の撮像感度決定手段が有効にされている場合、第２の撮像感度決定手段を無効にするように制御手段を構成してもよい。
請求項７に記載の発明による電子カメラは、被写体像を撮像し、撮像信号を出力する撮像手段と、被写体輝度を検出する輝度検出手段と、輝度検出手段で検出された被写体輝度に応じて撮像手段の感度を決定する撮像感度決定手段と、露出モードに応じて、撮像感度決定手段の有効／無効を制御する制御手段とを備えることを特徴とする。
【発明の効果】
【０００６】
本発明による電子カメラでは、撮像感度に対する使用者の要望に広く応えるように撮像感度を制御できる。
【発明を実施するための最良の形態】
【０００７】
以下、図面を参照して本発明を実施するための最良の形態について説明する。図１は、本発明の一実施の形態による電子カメラの背面および上面を見た斜視図である。図１において、電子カメラ１の上面には、メインスイッチＳＷ１と、レリーズボタンＳＷ２と、白黒液晶モニター６とが配設されている。電子カメラ１の背面には、取消スイッチＳＷ３と、モード選択スイッチＳＷ４と、露出モードスイッチＳＷ５と、左選択スイッチＳＷ６と、右選択スイッチＳＷ７と、上選択スイッチＳＷ８と、下選択スイッチＳＷ９と、確定スイッチＳＷ１０と、画像削除スイッチＳＷ１３と、コマンドダイヤル（左回転操作スイッチＳＷ１１および右回転操作スイッチＳＷ１２）と、カラー液晶モニター５とが配設されている。
【０００８】
図２は、図１の電子カメラ１の要部構成を説明するブロック図である。電子カメラ１は、マイクロコンピュータ１０１によって制御される。
【０００９】
撮影レンズ２１は、撮像素子２２の撮像面上に被写体像を結像させる。撮像素子２２はＣＣＤなどで構成され、撮像面上の被写体像を撮像し、撮像信号を撮像回路２３へ出力する。撮像素子２２は、その撮像感度（露光感度）をＩＳＯ１００相当〜ＩＳＯ１６００相当の範囲内において所定のステップで変更可能に構成されている。撮像感度とは、撮像素子２２に蓄積される電荷の検出感度、もしくは不図示の増幅回路の増幅利得を変化させる被制御量のことをいう。撮像感度は、相当するＩＳＯ感度値で表される。
【００１０】
撮像回路２３はＡ／Ｄ変換回路を含み、マイクロコンピュータ１０１からの撮影指示に応じて撮像素子２２から出力されるアナログ撮像信号をディジタルデータに変換し、変換後の画像データに対して所定の画像処理を行う。画像処理は、γ変換処理やホワイトバランス調整処理などを含む。ドライバ回路ＤＲ１は、マイクロコンピュータ１０１からの指令に応じてモータＭ１を駆動する。モータＭ１は、不図示のフォーカスレンズを光軸方向に進退駆動する。
【００１１】
メインスイッチＳＷ１は、電子カメラ１の主電源をon／offする操作に応じて操作信号をマイクロコンピュータ１０１へ送出する。レリーズスイッチＳＷ２は、レリーズボタンＳＷ２（図１）の押下操作に連動して撮影開始を指示するレリーズ操作信号をマイクロコンピュータ１０１へ出力する。
【００１２】
取消スイッチＳＷ３は、押下操作に応じて操作を取消すための操作信号をマイクロコンピュータ１０１へ出力する。モード選択スイッチＳＷ４は、押下操作に応じて電子カメラ１の動作モード、すなわち、撮影モード、再生モードおよびメニューモードを切替えるための操作信号をマイクロコンピュータ１０１へ出力する。
【００１３】
露出モードスイッチＳＷ５は、押下操作に応じて露出モードの切り替え操作を有効にする操作信号をマイクロコンピュータ１０１へ出力する。電子カメラ１は、露出モードスイッチＳＷ５が操作された状態で後述するコマンドダイヤル（ＳＷ１１およびスイッチＳＷ１２）が回転操作されると、複数の露出モードをサイクリックに切り替えるように構成される。露出モードについては後述する。
【００１４】
左選択スイッチＳＷ６、右選択スイッチＳＷ７、上選択スイッチＳＷ８、および下選択スイッチＳＷ９は、それぞれが押下操作に応じて選択方向を示す操作信号をマイクロコンピュータ１０１へ出力する。確定スイッチＳＷ１０は、押下操作に応じて確定操作信号をマイクロコンピュータ１０１へ出力する。画像削除スイッチＳＷ１３は、押下操作に応じて画像データファイルを削除するための操作信号をマイクロコンピュータ１０１へ出力する。
【００１５】
コマンドダイヤルは回転操作に連動して回転操作信号をマイクロコンピュータ１０１へ出力する。コマンドダイヤルが左回転操作された場合、操作量に応じた操作信号が左回転操作スイッチＳＷ１１から出力される。コマンドダイヤルが右回転操作された場合、操作量に応じた操作信号が右回転操作スイッチＳＷ１２から出力される。
【００１６】
電池１０３は、電子カメラ１内の各部に電力を供給する。電池チェック回路１０５は、電池１０３の電池電圧がカメラ動作に必要な所定の電圧以上か否かをチェックする。電池チェック回路１０５は、電池１０３の電圧が所定電圧未満であることを検出すると、マイクロコンピュータ１０１へ電池電圧低下を示す信号を送出する。
【００１７】
測光装置１１９は被写体輝度を検出し、検出信号をマイクロコンピュータ１０１へ送出する。ドライバ回路ＤＲ２は、マイクロコンピュータ１０１からの指令に応じてシャッター機構１０７を駆動制御する。シャッター機構１０７は、不図示の羽根を開閉して撮像素子２２に対する光の遮光・露光を行う。ドライバ回路ＤＲ３は、マイクロコンピュータ１０１からの指令に応じて絞り機構１０９を駆動制御する。絞り機構１０９は、不図示の絞りを開閉する。ドライバ回路ＤＲ４は、マイクロコンピュータ１０１からの指令に応じてミラー機構１１１を駆動制御する。ミラー機構１１１は、不図示のミラーのアップ・ダウンを行う。
【００１８】
外部インターフェイス１１２は、電子カメラ１内のデータをパソコンや別の電子カメラなどの外部機器へ出力（送信）するインターフェイス回路である。外部インターフェイス１１２の例として、ＲＳ２３２Ｃ、ＵＳＢ、IEEE1394などがある。
【００１９】
液晶ドライブ回路ＤＲ５は、マイクロコンピュータ１０１からの指令によりカラー液晶モニター５に対する駆動信号を生成する。カラー液晶モニター５は、画像やメニューなどを表示する。
【００２０】
表示器ドライブ回路ＤＲ６は、マイクロコンピュータ１０１からの指令により白黒液晶モニター６に対する駆動信号を生成する。白黒液晶モニター６は、設定されている露出モードを示す符号もしくはマーク、撮影コマ数などを表示する。
【００２１】
メモリカード１２１は、カードコネクター１１９を介して電子カメラ１に着脱される記録媒体である。メモリカード１２１には画像データ（ファイル）や音声データ（ファイル）が記録される。画像記憶メモリ１１８は、上記画像処理や、後述する圧縮処理および伸長処理の際に一時的に画像データを格納するバッファーを構成する。圧縮／伸長回路１１７は、たとえば、ＪＰＥＧなど所定の方式で画像データを圧縮処理したり、圧縮された画像データを伸長処理したりする。メモリ１１６は、マイクロコンピュータ１０１の作業領域として利用される。タイマー１１３は、マイクロコンピュータ１０１によって指定された時間を計時し、タイムアップ信号を出力したり、現在の日時を示す信号を出力したりする。
【００２２】
ドライバ回路ＤＲ７は、マイクロコンピュータ１０１からの指令に応じて圧電ブザー１１５を駆動制御する。圧電ブザー１１５は、不図示の圧電素子を振動させてブザー音を発する。外部電源コネクター１２０には、たとえば、AC/DCアダプタなどが接続される。
【００２３】
上述した電子カメラ１は、たとえば、以下の７通りの露出モードの中からいずれか１つが選択可能に構成されている。
［１］プログラム（Ｐ）モード
［２］シャッター優先オート（Ｓ）モード
［３］絞り優先オート（Ａ）モード
［４］マニュアル（Ｍ）モード
［５］人物撮影モード
［６］風景撮影モード
［７］スポーツ撮影モード
【００２４】
［１］プログラムモードでは、適正露出が得られるように、電子カメラ１が輝度に応じてシャッタースピードおよび絞り値を自動的に決定する。［２］シャッター優先オートモードでは、設定されているシャッタースピードで適正露出が得られるように、電子カメラ１が輝度に応じて絞り値を自動的に決定する。［３］絞り優先オートモードでは、設定されている絞り値で適正露出が得られるように、電子カメラ１が輝度に応じてシャッタースピードを自動的に決定する。［４］マニュアルモードでは、電子カメラ１が設定されているシャッタースピードおよび絞り値による制御露出と適正露出との偏差を演算する。
【００２５】
［５］人物撮影モードでは、適正露出が得られるように、電子カメラ１が輝度に応じて絞り値およびシャッタースピードを人物撮影に適した値に自動的に決定する。［６］風景撮影モードでは、適正露出が得られるように、電子カメラ１が輝度に応じて絞り値およびシャッタースピードを風景撮影に適した値に自動的に決定する。［７］スポーツモードでは、適正露出が得られるように、電子カメラ１が輝度に応じて絞り値およびシャッタースピードをスポーツシーン撮影に適した値に自動的に決定する。
【００２６】
（露出モードの設定変更）
使用者による露出モードの設定（選択）操作は以下のように行われる。電子カメラ１は、露出モードスイッチＳＷ５がオン操作された状態で左回転操作スイッチＳＷ１１から操作信号が出力されるごとに、上記露出モードを［１］→［２］→、…、→［６］→［７］→［１］→、…へサイクリックに切り替える。また、露出モードスイッチＳＷ５がオン操作された状態で右回転操作スイッチＳＷ１２から操作信号が出力されるごとに、上記露出モードを［７］→［６］→、…、→［２］→［１］→［７］→、…へサイクリックに切り替える。電子カメラ１は、露出モードスイッチＳＷ５のオン操作が解除されると、その時点で選択している露出モードに切り替える。電子カメラ１は、選択されている露出モードを示す符号もしくはマークを白黒液晶モニター６および不図示のファインダー内に点灯表示させる。
【００２７】
（シャッタースピードの設定変更）
使用者によるシャッタースピードの設定操作は以下のように行われる。電子カメラ１は、露出モードが上記［２］シャッター優先オート（Ｓ）モードに設定されている場合、コマンドダイヤル（ＳＷ１１およびスイッチＳＷ１２）が回転操作されると、操作量に応じてシャッタースピードを１／４０００秒から３０秒の範囲において所定ステップで切り替える。電子カメラ１は、設定されているシャッタースピードを示す数値などを白黒液晶モニター６および不図示のファインダー内に点灯表示させる。
【００２８】
（絞り値の設定変更）
使用者による絞り値の設定操作は以下のように行われる。電子カメラ１は、露出モードが上記［３］絞り優先オート（Ａ）モードに設定されている場合、コマンドダイヤル（ＳＷ１１およびスイッチＳＷ１２）が回転操作されると、操作量に応じて絞り値をＦ２．８〜Ｆ３２の範囲において所定ステップで切り替える。電子カメラ１は、設定されている絞り値を示す数値などを白黒液晶モニター６および不図示のファインダー内に点灯表示させる。
【００２９】
露出モードが上記［４］マニュアルモードに設定されている場合の電子カメラ１は、コマンドダイヤル（ＳＷ１１およびスイッチＳＷ１２）が回転操作されると、操作量に応じてシャッタースピードを１／４０００秒から３０秒の範囲において所定ステップで切り替え、確定スイッチＳＷ１０が押下操作後にさらにコマンドダイヤル（ＳＷ１１およびスイッチＳＷ１２）が回転操作されると、操作量に応じて絞り値をＦ２．８からＦ３２の範囲において所定ステップで切り替える。以降同様に、確定スイッチＳＷ１０が押下操作されるごとに、コマンドダイヤル（ＳＷ１１およびスイッチＳＷ１２）の操作量に応じてシャッタースピード、絞り値を交互に切り替える。
【００３０】
なお、電子カメラ１にサブコマンドダイヤルを設けてもよく、この場合にはコマンドダイヤルの操作量に応じてシャッタースピードを切り替え、サブコマンドダイヤルの操作量に応じて絞り値を切り替えるとよい。
【００３１】
（撮像感度の設定変更）
使用者による撮像感度の設定操作は、電子カメラ１をメニューモードに切り替えて行われる。使用者は、モード選択スイッチＳＷ４を操作してカラー液晶モニター５にメニュー（不図示）を表示させ、左選択スイッチＳＷ６、右選択スイッチＳＷ７、上選択スイッチＳＷ８、下選択スイッチＳＷ９および確定スイッチＳＷ１０を操作することにより、電子カメラ１にメニュー項目「撮像感度」を選択させる。電子カメラ１は、「撮像感度」が選択された状態でコマンドダイヤル（ＳＷ１１およびスイッチＳＷ１２）が回転操作されると、操作量に応じて撮像感度をＩＳＯ１００相当からＩＳＯ１６００相当の範囲において所定ステップで切り替える。電子カメラ１は、設定されている撮像感度を示す数値などを白黒液晶モニター６および不図示のファインダー内に点灯表示させる。
【００３２】
（撮像感度自動モード）
電子カメラ１は、上述した使用者の操作に応じて撮像感度を設定する他に、電子カメラ１自身が自動的に撮像感度を決定（設定）する撮像感度自動モードを有する。撮像感度自動モードには、［Ａ］感度自動設定モードと、［Ｂ］感度自動制御モードとがある。
【００３３】
［Ａ］感度自動設定モードでは、適正露出が得られるように、電子カメラ１が輝度に応じて撮像感度を自動的に決定する。図３は、感度自動設定モードにおける制御の概要を例示する図である。図３において、横軸は被写体輝度を表し、左側ほど高輝度であり、右側ほど低輝度である。電子カメラ１（マイクロコンピュータ１０１）は、被写体輝度がＢＶ＝６より高輝度の範囲では、撮像感度を固定（たとえばＩＳＯ２００相当（ＳＶ＝６））し、絞り値およびシャッタースピードの少なくとも一方を被写体輝度に応じて変化させて制御露出を決定する。
【００３４】
電子カメラ１は、被写体輝度がＢＶ＝６から５の範囲では、絞り値およびシャッタースピードを固定（たとえば絞り値をＦ２．８（ＡＶ＝３）に、シャッタースピードを１／５００秒（ＴＶ＝９）にする）し、撮像感度を所定範囲内で変化させて（たとえばＩＳＯ２００相当からＩＳＯ４００相当の範囲（ＳＶ＝６から７））制御露出を決定する。
【００３５】
電子カメラ１は、被写体輝度がＢＶ＝５から３の範囲では、撮像感度を固定（たとえばＩＳＯ４００相当（ＳＶ＝７））し、絞り値およびシャッタースピードの少なくとも一方を被写体輝度に応じて変化させて制御露出を決定する。
【００３６】
電子カメラ１は、被写体輝度がＢＶ＝３から２の範囲では、絞り値およびシャッタースピードを固定（たとえば絞り値をＦ２．８（ＡＶ＝３）に、シャッタースピードを１／１２５秒（ＴＶ＝７）にする）し、撮像感度を所定範囲内で変化させて（たとえばＩＳＯ４００相当からＩＳＯ８００相当の範囲（ＳＶ＝７から８））制御露出を決定する。
【００３７】
電子カメラ１は、被写体輝度がＢＶ＝２より低輝度の範囲では、撮像感度を固定（たとえばＩＳＯ８００相当（ＳＶ＝８））し、絞り値およびシャッタースピードの少なくとも一方を被写体輝度に応じて変化させて制御露出を決定する。
【００３８】
［Ｂ］感度自動制御モードでは、シャッタースピードおよび絞り値が制御限界に達した状態でさらに適正露出に近づけるように、電子カメラ１が設定されている撮像感度を輝度に応じて自動的に変更する。図４は、感度自動制御モードにおける制御の概要を例示する図である。図４において、横軸は被写体輝度を表し、左側ほど高輝度であり、右側ほど低輝度である。電子カメラ１は、絞り値およびシャッタースピードの高輝度側の制御限界（あらかじめプログラムされている値であり、たとえばＦ１１および１／４０００秒）に対応する被写体輝度より高輝度の範囲では、絞り値およびシャッタースピードを固定（制御限界）し、使用者によって設定されている撮像感度を低感度方向へ変化させて制御露出を決定する。なお、制御限界は、電子カメラ１に設定可能にされている絞り値、シャッタースピードの設定範囲内であれば、設定限界（設定範囲の上限もしくは下限）と一致しなくてもよい。
【００３９】
電子カメラ１は、絞り値およびシャッタースピードの高輝度側の制御限界から低輝度側の制御限界（たとえばＦ２．８および１秒）に対応する被写体輝度の範囲では、撮像感度を固定（使用者によって設定されている撮像感度）し、絞り値およびシャッタースピードの少なくとも一方を被写体輝度に応じて変化させて制御露出を決定する。
【００４０】
電子カメラ１は、絞り値およびシャッタースピードの低輝度側の制御限界に対応する被写体輝度より低輝度の範囲では、絞り値およびシャッタースピードを固定（制御限界）し、使用者によって設定されている撮像感度を高感度方向へ変化させて制御露出を決定する。
【００４１】
（撮像感度自動モードの設定）
使用者による［Ａ］感度自動設定モードの設定／解除操作は、電子カメラ１をメニューモードに切り替えて行われる。使用者は、モード選択スイッチＳＷ４を操作してカラー液晶モニター５にメニュー（不図示）を表示させ、左選択スイッチＳＷ６、右選択スイッチＳＷ７、上選択スイッチＳＷ８、下選択スイッチＳＷ９および確定スイッチＳＷ１０を操作することにより、電子カメラ１にメニュー項目「ISO Control」を選択させる。電子カメラ１は、「ISO Control」が選択された状態で左選択スイッチＳＷ６および右選択スイッチＳＷ７が操作されると、操作に応じて設定項目「ON（設定）」もしくは「OFF（解除）」を選び、さらに確定スイッチＳＷ１０が操作されると選択内容を有効にする（［Ａ］感度自動設定モードに設定する）。電子カメラ１は、［Ａ］感度自動設定モードに設定されていることを示すために、白黒液晶モニター６および不図示のファインダー内に、たとえば、「ISO AUTO」を点灯表示させる。
【００４２】
使用者による［Ｂ］感度自動制御モードの設定／解除操作は、電子カメラ１をメニューモードに切り替えて行われる。使用者は、モード選択スイッチＳＷ４を操作してカラー液晶モニター５にメニュー（不図示）を表示させ、左選択スイッチＳＷ６、右選択スイッチＳＷ７、上選択スイッチＳＷ８、下選択スイッチＳＷ９および確定スイッチＳＷ１０を操作することにより、電子カメラ１にメニュー項目「ISO Auto」を選択させる。電子カメラ１は、「ISO Auto」が選択された状態で左選択スイッチＳＷ６および右選択スイッチＳＷ７が操作されると、操作に応じて設定項目「ON（設定）」もしくは「OFF（解除）」を選び、さらに確定スイッチＳＷ１０が操作されると選択内容を有効にする（［Ｂ］感度自動制御モードに設定する）。電子カメラ１は、［Ｂ］感度自動制御モードに設定されていることを示すために、白黒液晶モニター６および不図示のファインダー内に、たとえば、「ISO AUTO」を点灯表示させる。
【００４３】
［Ｂ］感度自動制御モードがON（設定）されている状態において電子カメラ１が使用者によって設定されている撮像感度を変更した場合は、電子カメラ１が撮像感度を変更したことを示すために、白黒液晶モニター６および不図示のファインダー内に、たとえば、「ISO AUTO」をDuty50％で点滅表示（点灯50％:消灯50％）させる。
【００４４】
本実施形態による電子カメラ１は、上述した撮像感度自動モード、および露出モードの組み合わせに特徴を有するので、この点を中心に説明する。
【００４５】
図５は、電子カメラ１に設定される露出モードと、撮像感度自動モードとの関係を説明する図である。図５において、露出モードが上記［１］プログラム（Ｐ）モード、［２］シャッター優先オート（Ｓ）モード、［３］絞り優先オート（Ａ）モード、および［４］マニュアル（Ｍ）モードのいずれかに設定される場合は、電子カメラ１によって［Ａ］感度自動設定モードのON（設定）が禁止され（選択不可）、［Ａ］感度自動設定モードは常にOFF（解除）される。選択不可にされた状態では、上述したメニューモードにおいてメニュー項目「ISO Control」に関するON（設定）／OFF（解除）操作が禁止される。具体的には、メニュー項目「ISO Control」をグレー表示して選択不能にする。
【００４６】
また、露出モードが上記［１］プログラム（Ｐ）モード、［２］シャッター優先オート（Ｓ）モード、［３］絞り優先オート（Ａ）モード、および［４］マニュアル（Ｍ）モードのいずれかに設定される場合は、電子カメラ１によって［Ｂ］感度自動制御モードに関するON（設定）／OFF（解除）のいずれの選択も許可される。具体的には、デフォルト設定として［Ｂ］感度自動制御モードがOFF(解除）された上で、上述したメニューモードにおいてメニュー項目「ISO Auto」に関するON（設定）／OFF（解除）操作が許可される。
【００４７】
露出モードが上記［５］人物撮影モード、［６］風景撮影モード、および［７］スポーツ撮影モードのいずれかに設定される場合は、電子カメラ１によって［Ａ］感度自動設定モードに関するON（設定）／OFF（解除）のいずれの選択も許可される。具体的には、デフォルト設定として［Ａ］感度自動設定モードがON（設定）された上で、上述したメニューモードにおいてメニュー項目「ISO Control」に関するON（設定）／OFF（解除）操作が許可される。
【００４８】
露出モードが上記［５］人物撮影モード、［６］風景撮影モード、および［７］スポーツ撮影モードのいずれかに設定される場合は、電子カメラ１によって［Ｂ］感度自動制御モードに関する操作が以下のように制限される。
【００４９】
（１）［Ａ］感度自動設定モードがON（設定）されている状態では、電子カメラ１によって［Ｂ］感度自動制御モードのON（設定）が禁止され（選択不可）、［Ｂ］感度自動制御モードは常にOFF（解除）される。選択不可にされた状態では、上述したメニューモードにおいてメニュー項目「ISO Auto」に関するON（設定）／OFF（解除）操作が禁止される。具体的には、メニュー項目「ISO Auto」をグレー表示して選択不能にする。
【００５０】
（２）［Ａ］感度自動設定モードがOFF（解除）されている状態では、電子カメラ１によって［Ｂ］感度自動制御モードに関するON（設定）／OFF（解除）のいずれの選択も許可される。具体的には、デフォルト設定として［Ｂ］感度自動制御モードがOFF（解除）された上で、上述したメニューモードにおいてメニュー項目「ISO Auto」に関するON（設定）／OFF（解除）操作が許可される。
【００５１】
以上説明した実施形態の電子カメラ１によれば、次の作用効果が得られる。
（ａ１）露出モードが［１］プログラム（Ｐ）モード、［２］シャッター優先オート（Ｓ）モード、［３］絞り優先オート（Ａ）モード、および［４］マニュアル（Ｍ）モードのいずれかに設定される場合、［Ａ］感度自動設定モードを常に無効（OFF）にしたので、使用者によって設定される撮像感度に固定して制御露出が演算される。これにより、設定した撮像感度を自動変更されたくないという使用者の要望に対応できる。
【００５２】
（ｂ１）露出モードが［１］プログラム（Ｐ）モード、［２］シャッター優先オート（Ｓ）モード、［３］絞り優先オート（Ａ）モード、および［４］マニュアル（Ｍ）モードのいずれかに設定される場合は、デフォルト設定として［Ｂ］感度自動制御モードを無効（OFF）にしたので、使用者が［Ｂ］感度自動制御モードを有効（ON）に変更操作しない限り、使用者によって設定された撮像感度に固定して制御露出が演算される。これにより、設定した撮像感度を自動変更されたくないという使用者の要望に対応できる。
【００５３】
（ｃ１）露出モードが［５］人物撮影モード、［６］風景撮影モード、および［７］スポーツ撮影モードのいずれかに設定される場合は、デフォルト設定として［Ａ］感度自動設定モードを有効（ON）にしたので、使用者が［Ａ］感度自動制御モードを無効（OFF）に変更操作しない限り、電子カメラ１が決定した撮像感度で制御露出が演算される。これにより、撮像感度の設定をカメラまかせにしたいという使用者の要望に対応できる。
【００５４】
（ｄ１）［Ａ］感度自動設定モードと［Ｂ］感度自動制御モードとがともに有効（ON）にされることを禁止したので、撮像感度に関する２つの自動モードによる動作が重複することがない。
【００５５】
上述した説明では、露出モードが［５］人物撮影モード、［６］風景撮影モード、および［７］スポーツ撮影モードのいずれかに設定され、［Ａ］感度自動設定モードが有効（ON）にされている状態においては後発的に［Ｂ］感度自動制御モードを有効（ON）にする操作が禁止される例を説明した。この場合は、［Ａ］感度自動設定モードが無効（OFF）にされない限り、［Ｂ］感度自動制御モードを有効（ON）にする操作が許可されない。すなわち、既に有効（ON）にされている撮像感度自動モードを無効（OFF）にしない限り、後発的に他方の撮像感度自動モードを有効（ON）にできない。
【００５６】
この代わりに、後発的に［Ｂ］感度自動制御モードを有効（ON）にする操作を許可し、当該操作に応じて［Ｂ］感度自動制御モードを有効（ON）にするとともに、既に有効（ON）にされている［Ａ］感度自動設定モードを無効（OFF）にするように構成してもよい。すなわち、後発的に他方の撮像感度自動モードを有効（ON）にするとともに、既に有効（ON)にされている撮像感度自動モードを無効（OFF）にする。
【００５７】
（変形例１）
電子カメラ１に設定される露出モードと、撮像感度自動モードとの関係を異ならせてもよい。図６は、変形例１における露出モードおよび撮像感度自動モードの関係を説明する図である。図５と比べて、露出モードが［５］人物撮影モード、［６］風景撮影モード、および［７］スポーツ撮影モードのいずれかに設定される場合の内容が異なるので、これら相違点を中心に説明する。
【００５８】
図６において、露出モードが上記［５］人物撮影モード、［６］風景撮影モード、および［７］スポーツ撮影モードのいずれかに設定される場合は、電子カメラ１によって［Ａ］感度自動設定モードのOFF（解除）が禁止され（選択不可）、［Ａ］感度自動設定モードは常にON（設定）される。選択不可にされた状態では、上述したメニューモードにおいてメニュー項目「ISO Control」に関するON（設定）／OFF（解除）操作が禁止される。具体的には、メニュー項目「ISO Control」をグレー表示して選択不能にする。
【００５９】
露出モードが上記［５］人物撮影モード、［６］風景撮影モード、および［７］スポーツ撮影モードのいずれかに設定される場合は、電子カメラ１によって［Ｂ］感度自動制御モードのON（設定）が禁止され（選択不可）、［Ｂ］感度自動制御モードは常にOFF（解除）される。選択不可にされた状態では、上述したメニューモードにおいてメニュー項目「ISO Auto」に関するON（設定）／OFF（解除）操作が禁止される。具体的には、メニュー項目「ISO Auto」をグレー表示して選択不能にする。
【００６０】
以上説明した変形例１によれば、上記実施形態による作用効果（ａ１）、（ｂ１）に加えて、次の作用効果が得られる。
（ａ２）露出モードが［５］人物撮影モード、［６］風景撮影モード、および［７］スポーツ撮影モードのいずれかに設定される場合は、［Ａ］感度自動設定モードを常に有効（ON）にしたので、必ず電子カメラ１が決定した撮像感度で制御露出が演算される。これにより、撮像感度の設定をカメラまかせにしたいという使用者の要望に対応できる。
【００６１】
（ｂ２）［Ａ］感度自動設定モードと［Ｂ］感度自動制御モードとがともに有効（ON）にされることを禁止したので、撮像感度に関する２つの自動モードによる動作が重複することがない。
【００６２】
（ｃ２）露出モードが設定されると、［Ａ］感度自動設定モードが一義的に有効（ON）または無効（OFF）にされるようにしたので、設定操作を簡略化できる。この場合には、上述したメニューモードにおいてメニュー項目「ISO Control」を省略してよい。
【００６３】
（変形例２）
図７は、変形例２における露出モードおよび撮像感度自動モードの関係を説明する図である。図５と比べて、露出モードが［１］プログラム（Ｐ）モード、［２］シャッター優先オート（Ｓ）モード、［３］絞り優先オート（Ａ）モード、および［４］マニュアル（Ｍ）モードのいずれかに設定される場合の内容が異なるので、これら相違点を中心に説明する。
【００６４】
図７において、露出モードが上記［１］プログラム（Ｐ）モード、［２］シャッター優先オート（Ｓ）モード、［３］絞り優先オート（Ａ）モード、および［４］マニュアル（Ｍ）モードのいずれかに設定される場合は、電子カメラ１によって［Ａ］感度自動設定モードに関するON（設定）／OFF（解除）のいずれの選択も許可される。具体的には、デフォルト設定として［Ａ］感度自動設定モードがON（設定）された上で、上述したメニューモードにおいてメニュー項目「ISO Control」に関するON（設定）／OFF（解除）操作が許可される。
【００６５】
露出モードが上記［１］プログラム（Ｐ）モード、［２］シャッター優先オート（Ｓ）モード、［３］絞り優先オート（Ａ）モード、および［４］マニュアル（Ｍ）モードのいずれかに設定される場合は、電子カメラ１によって［Ｂ］感度自動制御モードに関する操作が以下のように制限される。
【００６６】
（１）［Ａ］感度自動設定モードがON（設定）されている状態では、電子カメラ１によって［Ｂ］感度自動制御モードのON（設定）が禁止され（選択不可）、［Ｂ］感度自動制御モードは常にOFF（解除）にされる。選択不可にされた状態では、上述したメニューモードにおいてメニュー項目「ISO Auto」に関するON（設定）／OFF（解除）操作が禁止される。具体的には、メニュー項目「ISO Auto」をグレー表示して選択不能にする。
【００６７】
（２）［Ａ］感度自動設定モードがOFF（解除）されている状態では、電子カメラ１によって［Ｂ］感度自動制御モードに関するON（設定）／OFF（解除）のいずれの選択も許可される。具体的には、デフォルト設定として［Ｂ］感度自動制御モードがOFF（解除）された上で、上述したメニューモードにおいてメニュー項目「ISO Auto」に関するON（設定）／OFF（解除）操作が許可される。
【００６８】
以上説明した変形例２によれば、次の作用効果が得られる。
（ａ３）選択されている露出モードにかかわらず、デフォルト設定として［Ａ］感度自動設定モードを有効（ON）にしたので、使用者が［Ａ］感度自動制御モードを無効（OFF）に変更操作しない限り、電子カメラ１が決定した撮像感度で制御露出が演算される。これにより、撮像感度の設定をカメラまかせにしたいという使用者の要望に対応できる。
【００６９】
（ｂ３）選択されている露出モードにかかわらず、［Ａ］感度自動設定モードと［Ｂ］感度自動制御モードとがともに有効（ON）にされることを禁止したので、撮像感度に関する２つの自動モードによる動作が重複することがない。
【００７０】
（変形例３）
図８は、変形例３における露出モードおよび撮像感度自動モードの関係を説明する図である。図８において、選択されている露出モードおよび［Ｂ］感度自動制御モードのON（設定）／OFF（解除）にかかわらず、電子カメラ１によって［Ａ］感度自動設定モードに関するON（設定）／OFF（解除）のいずれの選択も許可される。具体的には、デフォルト設定として［Ａ］感度自動設定モードがON（設定）された上で、上述したメニューモードにおいてメニュー項目「ISO Control」に関するON（設定）／OFF（解除）操作が許可される。
【００７１】
また、選択されている露出モードおよび［Ａ］感度自動設定モードのON（設定）／OFF（解除）にかかわらず、電子カメラ１によって［Ｂ］感度自動制御モードに関するON（設定）／OFF（解除）のいずれの選択も許可される。具体的には、デフォルト設定として［Ｂ］感度自動制御モードがOFF（解除）された上で、上述したメニューモードにおいてメニュー項目「ISO Auto」に関するON（設定）／OFF（解除）操作が許可される。
【００７２】
以上説明した変形例３によれば、次の作用効果が得られる。
（ａ４）選択されている露出モードにかかわらず、デフォルト設定として［Ａ］感度自動設定モードを有効（ON）にしたので、使用者が［Ａ］感度自動制御モードを無効（OFF）に変更操作しない限り、電子カメラ１が決定した撮像感度で制御露出が演算される。これにより、撮像感度の設定をカメラまかせにしたいという使用者の要望に対応できる。
【００７３】
（ｂ４）［Ａ］感度自動設定モードに関する有効（ON）／無効（OFF）のいずれの選択も許可したので、無効（OFF）にされる場合には使用者によって設定される撮像感度に固定して制御露出が演算される。これにより、設定した撮像感度を自動変更されたくないという使用者の要望にも対応できる。
【００７４】
（ｃ４）選択されている露出モードにかかわらず、デフォルト設定として［Ｂ］感度自動制御モードを無効（OFF）にしたので、使用者が［Ｂ］感度自動制御モードを有効（ON）に変更操作しない限り、使用者によって設定される撮像感度に固定して制御露出が演算される。これにより、設定した撮像感度を自動変更されたくないという使用者の要望に対応できる。
【００７５】
（ｄ４）［Ｂ］感度自動制御モードに関する有効（ON）／無効（OFF）のいずれの選択も許可したので、有効（ON）にされる場合には電子カメラ１が決定した撮像感度で制御露出が演算される。これにより、撮像感度の設定をカメラまかせにしたいという使用者の要望にも対応できる。
【００７６】
（ｅ４）［Ａ］感度自動設定モードと［Ｂ］感度自動制御モードとをいずれも有効（ON）にすることを可能にしたので、撮像感度の設定をカメラまかせにした上で双方の動作を行わせたいという使用者の要望に対応できる。
【００７７】
図９は、［Ａ］感度自動設定モードおよび［Ｂ］感度自動制御モードがいずれもON（設定）された場合の制御の概要を例示する図である。図９において、横軸は被写体輝度を表し、左側ほど高輝度であり、右側ほど低輝度である。電子カメラ１は、絞り値およびシャッタースピードの高輝度側の制御限界に対応する被写体輝度より高輝度の範囲では、絞り値およびシャッタースピードを固定（制御限界）し、使用者によって設定されている撮像感度を低感度方向へ変化させて制御露出を決定する。
【００７８】
絞り値およびシャッタースピードの高輝度側の制御限界から低輝度側の制御限界に対応する被写体輝度の範囲については、図３の場合と同様なので説明を省略する。
【００７９】
電子カメラ１は、絞り値およびシャッタースピードの低輝度側の制御限界に対応する被写体輝度より低輝度の範囲では、絞り値およびシャッタースピードを固定（制御限界）し、使用者によって設定されている撮像感度を高感度方向へ変化させて制御露出を決定する。
【００８０】
図９の制御を行う電子カメラ１は、使用者によって設定されている撮像感度を電子カメラ１が変更したことを示すために、白黒液晶モニター６および不図示のファインダー内に、たとえば、「ISO AUTO」をDuty75％で点滅表示（点灯75％:消灯25％）させる。
【００８１】
以上の説明では、露出モードを［１］〜［７］の７通りで説明したが、たとえば、撮影時に撮影補助光を発光させるＳＢ撮影モードを追加してもよい。ＳＢ撮影モードでは、［Ｂ］感度自動制御モードを常時有効（ON）にするとよい。
【００８２】
図３、図４および図９に例示した制御線図は一例であり、撮像感度を変化させる被写体輝度の範囲、輝度に応じて設定する撮像感度の値、絞り値およびシャッタースピードの制御限界は適宜変更してよい。
【００８３】
図３のような制御線図を複数通り備え、［５］人物撮影モード、［６］風景撮影モード、および［７］スポーツ撮影モードにおいて制御線図を使い分けてもよい。
【００８４】
また、上述した説明では、露出モードに対応させて撮像感度自動モードを異ならせる例を説明したが、露出モードの代わりに、測光モード（スポット測光もしくはマルチ測光など）や記録媒体への画像記録モード（ＪＰＥＧデータ記録もしくはＲＡＷデータ記録など）に対応させて撮像感度自動モードを異ならせてもよい。
【図面の簡単な説明】
【００８５】
【図１】本発明の一実施の形態による電子カメラの斜視図である。
【図２】電子カメラの要部構成を説明するブロック図である。
【図３】感度自動設定モードにおける制御の概要を例示する図である。
【図４】感度自動制御モードにおける制御の概要を例示する図である。
【図５】露出モードと撮像感度自動モードとの関係を説明する図である。
【図６】変形例１における露出モードと撮像感度自動モードとの関係を説明する図である。
【図７】変形例２における露出モードと撮像感度自動モードとの関係を説明する図である。
【図８】変形例３における露出モードと撮像感度自動モードとの関係を説明する図である。
【図９】変形例３における制御の概要を例示する図である。
【符号の説明】
【００８６】
１…電子カメラ
５…カラー液晶モニター
６…白黒液晶モニター
２２…撮像素子
２３…撮像回路
１０１…マイクロコンピュータ
１１９…測光装置
【図１】
2006303760.tif 000003
【図２】
2006303760.tif 000004
【図３】
2006303760.tif 000005
【図４】
2006303760.tif 000006
【図５】
2006303760.tif 000007
【図６】
2006303760.tif 000008
【図７】
2006303760.tif 000009
【図８】
2006303760.tif 000010
【図９】
2006303760.tif 000011